(57)【要約】【課題】機能部本体と便座を連結する便座コードが露出することによる外観上の不具合が生じず、機能部本体の設計に悪影響を与えることもない暖房便座装置を提供する。【解決手段】便座コード３４は、閉時の便座３６と対向する機能部本体３３のケース前面の位置４２から取り出して、便座３６の内部へ配線するようにしたので、便座３６が閉じた状態においては便座コード３４が露出することがなく、見栄えが良い。また、機能部本体３３の構造もシンプルである。【選択図】　図１
2004121513.tif 000002
【特許請求の範囲】
【請求項１】
ヒータを有する便座部と、前記ヒータを制御するコントローラを内部に有する機能部本体と、前記ヒータとコントローラとを接続する便座コードとからなる暖房便座装置において、便座閉時に前記便座部と対向する位置である前記機能部本体のケース前面から前記便座コードを取り出し、前記便座の背面若しくは下面より前記便座に前記便座コードを取り入れたことを特徴とする暖房便座装置。
【請求項２】
請求項１に記載の暖房便座装置において、前記便座の前記便座コード取り入れ位置は、前記機能部本体のケース前面の前記便座コード取り出し位置より高い位置にあることを特徴とする暖房便座装置。
【請求項３】
請求項１若しくは請求項２に記載の暖房便座装置において、前記便座コードは、前記機能部本体の袖部側に配置されることを特徴とする暖房便座装置。
【発明の詳細な説明】
【０００１】
【発明の属する技術分野】
本発明は、暖房便座装置に係り、特にヒータへの通電用のコードの配線構造に関する。
【０００２】
【従来の技術】
従来、図６に示すように、便器３５に載置される便座３６を有する便座部３２と、便座部３２のヒータを制御するコントローラを内部に有する機能部本体３３とからなる暖房便座装置３１では、便座コード３４を便座部３２に配線する際、便座コード３４は、機能部本体３３から外部を経由して便座部３２へ配線されて外部に露出している（例えば、特許文献１参照）。また、図７に示すように機能部本体３３に袖部４７を有する暖房便座装置３１においては、便座コード３４は袖部４７とは逆側に配置される。なお、図６、図７において、３７は便ふたである。また、図８に示すように、便座コード３４を隠ぺいするために、便座部３２を開閉させた時に便座部３２と機能部本体３３が常に対向する位置４４にて便座コード３４を通して、配線しているものもある（例えば、特許文献２参照）。常に対向する位置４４というのは、便座部３２の開閉の軸を中心として便座部３２の開閉時に、便座部３２と機能部本体３３が常に向き合っている位置のことである。なお、図８において３８はヒータ、３９はコントローラである。
【０００３】
【特許文献１】
特開平９−２１５６３７号公報
【特許文献２】
実開平５−７０３９６号公報
【０００４】
【発明が解決しようとする課題】
しかしながら、図６のように便座コード３４が外部に露出しているものでは、デザイン性（外観）や清掃性が良くないという問題があった。また、図８の例では、便座部３２と機能部本体３３が常に対向する位置４４にて配線することにより便座コード３４を隠ぺいしているが、この位置には便座部３２を開閉するための軸（図示せず）があるため、この軸の延長上の機能部本体３３および便座部３２には、便座コード３４を入れる空間４１が必要であった。この場合、機能部本体３３の内部の部品の配置が制約を受けたり、製品の幅が大きくなったりする問題があった。
【０００５】
本発明は、上記課題を解決するためになされたもので、本発明の目的は、機能部本体と便座を連結する便座コードが露出することによる外観上の不具合が生じず、機能部本体の設計に悪影響を与えることもない暖房便座装置を提供することにある。
【０００６】
【課題を解決するための手段及びその作用・効果】
上記目的を達成するために請求項１は、ヒータを有する便座部と、前記ヒータを制御するコントローラを内部に有する機能部本体と、前記ヒータとコントローラとを接続する便座コードとからなる暖房便座装置において、便座閉時に前記便座部と対向する位置である前記機能部本体のケース前面から前記便座コードを取り出し、前記便座の背面若しくは下面より前記便座に前記便座コードを取り入れた。よって、便座が閉じた状態においては便座コードが露出することがなく、見栄えが良い。また、機能部本体の構造もシンプルである。
【０００７】
請求項２では、請求項１に記載の暖房便座装置において、前記便座の前記便座コード取り入れ位置は、前記機能部本体のケース前面の前記便座コード取り出し位置より高い位置にあることとした。この場合、便座コードの屈曲の半径を大きくして屈曲の繰り返しによる便座コードの断線の防止を図れる。
【０００８】
請求項３では、請求項１若しくは請求項２に記載の暖房便座装置において、前記便座コードは、前記機能部本体の袖部側に配置されることとした。この場合、便座が閉じた状態においては便座コードは袖部の陰になるため、さらに見栄えが良い。
【０００９】
【発明の実施の形態】
続いて添付した図面を参照しつつ本発明を具体化した実施の形態について説明し、本発明の理解に供する。図１、図２、図３は、本発明の第１の実施例による暖房便座装置の説明図であり、図４、図５は、本発明の第２の実施例による暖房便座装置の説明図である。
【００１０】
図１、図２に示すように、本発明の第１の実施例による暖房便座装置３１は、ヒータ（図示せず）を内部に有し便座３６・便ふた３７等を含む便座部と、ヒータ等を制御するコントローラ（図示せず）などをケース内部に有する機能部本体３３と、便座３６と機能部本体３３との間を配線する便座コード３４とから構成されている。ここで便座コード３４は、機能部本体３３のケース前面の位置４２（閉時の便座３６と対向する位置）から取り出されており、機能部本体３３のケースに沿って、便座３６の側端下部４３を切り欠いて便座コード３４をカバーするカバー４６の内部で折り返された後、便座３６の内部へ配線される。なお、便座３６は側端下部４３を切り欠いているが、図３のようにカバー４６内に壁を形成することで、便座３６の密閉性は切り欠く前と変わらない。
【００１１】
図１に示すように、便座コード３４の機能部本体３３側の取り出し位置（４２）を便座３６の袖部の後方としているので、便座コード３４は、便座３６の開閉時に幅の狭い直線的な動き（軌跡）を描く。また、図２に示すように便座コード３４を折り返しているのは、便座３６の開閉の際に必要なコードの長さを確保し、かつ収納範囲を小さくするためである。ここで、便座３６のコード取入位置を便座３６の開閉軸に近づけることにより、便座コード３４の長さを短くできる。なお、便座コード３４を短くするため、機能部本体３３側の取り出し位置と便座３６側の取り入れ位置とを近くした場合、便座コード３４は折り返しにより常に曲げられているので、便座３６の開閉により屈曲が繰り返されて断線する恐れがある。図２の例では、便座３６側の取り入れ位置を、機能部本体３３側の取り出し位置より高い位置にしているので、この場合、便座コードの屈曲の半径を大きくして屈曲の繰り返しによる便座コードの断線の防止を図れる。
【００１２】
なお、便座コード３４は便座袖部４５の左右付近どちらからでも取り出すことが可能であり、便座３６の形状を左右対称にするためにカバー４６を左右どちらにも設けてもよい。また、便座３６の開閉に伴い、便座コード３４の機能部本体３３側の基端や便座３６側の基端は回転するが、回転の滑らかさと防水性を保つために、この両基端と機能部本体３３のケースや便座３６との間にパッキン等の緩衝材を入れたり、摺動性や防音性の向上のためにグリースを塗布してもよい。
【００１３】
次に、図４、図５に示す本発明の第２の実施例による暖房便座装置３１においては、便座３６と機能部本体３３との間を配線する便座コード３４は、機能部本体３３のケース前面の位置４２から取り出され、便座３６に開けられた便座コード３４の径より大きい穴から、便座３６に入るように構成されている。この例では、便座３６と便座コード３４の間にＵパッキン、フラッパー等の緩衝材を設けることにより、便座３６の開閉時の防水性と摺動性を向上させている。なお、本実施例においても、便座コード３４は便座袖部４５の左右付近どちらからでも取り出すことが可能である。
【００１４】
上記実施例によれば、便座３６が閉じた状態においては便座コード３４が露出することがなく、見栄えが良い。また、図１に示すように便座コード３４を機能部本体３３の袖部４７側に配置することにより、便座３６が閉じた状態においては便座コード３４は袖部２７の陰になるため、さらに見栄えが良い。また、機能部本体３３の構造もシンプルであり、製品の幅も抑えられる。
【図面の簡単な説明】
【図１】第１の実施例による暖房便座装置の正面図
【図２】第１の実施例による暖房便座装置の側部断面図
【図３】第１の実施例による便座の背面図
【図４】第２の実施例による暖房便座装置の正面図
【図５】第２の実施例による暖房便座装置の側部断面図
【図６】従来の暖房便座装置の斜視図
【図７】従来の袖部を有する暖房便座装置の上面図
【図８】従来の暖房便座装置の正面図
【符号の説明】
３１：暖房便座装置
３２：便座部
３３：機能部本体
３４：便座コード
３５：便器
３６：便座
３７：便ふた
３８：ヒータ
３９：コントローラ
４１：便座コードを入れる空間
４２：機能部本体のケース前面の位置
４３：便座側端下部（切り欠き）
４４：便座部と機能部本体が常に対向する位置
４５：便座袖部
４６：カバー
４７：袖部
【図１】
2004121513.tif 000003
【図２】
2004121513.tif 000004
【図３】
2004121513.tif 000005
【図４】
2004121513.tif 000006
【図５】
2004121513.tif 000007
【図６】
2004121513.tif 000008
【図７】
2004121513.tif 000009
【図８】
2004121513.tif 000010